(57)【要約】【課題】ケーブルを有する有線のイヤホンを耳介に付けた状態で装着しても遮音性が良好に維持されるイヤーマフを提供する。【解決手段】イヤーマフ（５１）は、本体部（１）と、本体部（１）に取り付けられ使用時に頭部（Ｈ）に当接させる当接面（３２）を有する環状のパッド部（３）と、を有する。また、パッド部（３）においては、内周面（３６）と外周面（３７）とを繋いで当接面（３２）に開口し、本体部（１）に向け周方向に位置がずれるように形成された切り込み部（３１）を有する。【選択図】図５
2020154064.tif 000002
【特許請求の範囲】
【請求項１】
本体部と、
前記本体部に取り付けられ使用時に頭部に当接させる当接面を有する環状のパッド部と、
前記パッド部において、内周面と外周面とを繋いで前記当接面に開口し、前記本体部に向け周方向に位置がずれるように形成された切り込み部を有するイヤーマフ。
【請求項２】
前記パッド部は、前記切り込み部を複数有し、
複数の前記切り込み部は、隣接する２つの前記切り込み部の組として、一方の前記本体部の側の最奥位置と他方の前記当接面における開口位置とが同じ周方向位置にある組を含むことを特徴とする請求項１記載のイヤーマフ。
【請求項３】
前記本体部を左右の耳用に一対有すると共に一対の前記本体部を連結するバンド部を有し、
前記頭部に装着した状態で、バンド部の弾性反発力により前記本体部が前記頭部の側に付勢されて前記パッド部の前記切り込み部の隙間が閉じることを特徴とする請求項１又は請求項２記載のイヤーマフ。
【発明の詳細な説明】
【技術分野】
【０００１】
本発明は、イヤーマフに関する。
【背景技術】
【０００２】
特許文献１には、使用者の聴覚を環境騒音から保護する用途で用いられる聴覚保護装置としてのイヤーマフが記載されている。
【先行技術文献】
【特許文献】
【０００３】
【特許文献１】特表２００９−５０５７９０号公報
【発明の概要】
【発明が解決しようとする課題】
【０００４】
特許文献１に記載されたイヤーマフは、外部の騒音を遮断する装置として用いられる。一方で、イヤーマフは、その優れた遮音性から、イヤホンを耳介に装着して再生音を聴取する際の外部騒音の遮断装置として用いられる場合がある。すなわち、耳介に付けたイヤホンを覆うようにイヤーマフを装着する。
これにより、外部の騒音を遮断してイヤホンの再生音を良好に聴取できる。
【０００５】
しかしながら、イヤホンが音楽再生装置などの外部機器と接続するためのケーブルを有する有線タイプの場合、ケーブルを、イヤーマフのパッド部と頭部との間から外部に引き出す必要がある。
そのため、パッド部と頭部との間に隙間ができてイヤーマフとしての遮音性が大きく低下し、外部の騒音がパッド部の内側に進入してイヤホンの音声が聴き取りにくくなったり、イヤホンの音声が隙間から外部に漏出するなどの不具合が生じ改善が望まれている。
【０００６】
そこで、本発明が解決しようとする課題は、有線のイヤホンを耳介に付けた状態で装着しても遮音性が良好に維持されるイヤーマフを提供することにある。
【課題を解決するための手段】
【０００７】
上記の課題を解決するために、本発明は次の１）の構成を有する。
１）本体部１と、
前記本体部１に取り付けられ使用時に頭部に当接させる当接面を有する環状のパッド部と、
前記パッド部において、内周面と外周面とを繋いで前記当接面に開口し、前記本体部に向け周方向に位置がずれるように形成された切り込み部を有するイヤーマフである。
【発明の効果】
【０００８】
本発明によれば、有線のイヤホンを耳介に付けた状態で装着しても遮音性が良好に維持される、という効果が得られる。
【図面の簡単な説明】
【０００９】
【図１】図１は、本発明の実施の形態に係るイヤーマフの実施例であるイヤーマフ５１を、有線のイヤホンを耳介に付けた頭部Ｈに装着した状態の斜視図である。
【図２】図２は、イヤーマフ５１におけるパッド部３を取り付けた本体部１の平面図である。
【図３】図３は、イヤーマフ５１におけるパッド部３を取り付けた本体部１の下面図である。
【図４】図４は、パッド部３の部分展開図である。
【図５】図５は、パッド部３に形成したスリット３１にイヤホン８のケーブル８２を通す作業を示す斜視図である。
【図６】図６は、耳介にイヤホン８を付けた状態でイヤーマフを装着した状態を示す一部断面とした部分前面図である。
【図７】図７は、パッド部３の製造方法の例を示す斜視的組立図である。
【発明を実施するための形態】
【００１０】
本発明の実施の形態に係るイヤーマフを、実施例のイヤーマフ５１により説明する。
【００１１】
（実施例）
図１は、使用者の耳介Ｅ（図６参照）にケーブル８２を有する有線のイヤホン８（図５及び図６参照）を付けた状態で、頭部Ｈにイヤーマフ５１を装着した状態を示す斜視図である。以下の説明における前後左右上下の各方向を、図１に示された矢印によって規定する。
【００１２】
イヤーマフ５１は、左右一対の本体部１，一対の本体部１を連結するバンド部２，及び一対の本体部１それぞれに取り付けられたパッド部３を有する。
図１において、本体部１は左側のみが示されている。また、図１では、使用者の頭部Ｈにおける耳介Ｅ（図６参照）には、有線のカナル型のイヤホン８が付けられており、イヤホン８の装着状態で耳介Ｅを覆うようにイヤーマフ５１は装着されている。
【００１３】
図５に示されるように、イヤホン８は、本体部８１と、本体部１の先端に取り付けられたイヤピース８３と、本体部８１から延出するケーブル８２と、を有する。
イヤホン８のケーブル８２は、パッド部３に形成された図２に示される切り込み部３１を通して外部に引き出されている。切り込み部３１の詳細は後述する。
【００１４】
パッド部３は、クロロプレンゴムなどで形成されたスポンジ体からなるクッション部材を有し、周知のパッド部と同様に圧縮弾性をもって肌当たりが軟らかくなるように形成されている。
パッド部３は、クッション部を、樹脂シートなどのカバーで包むようにして形成してもよい。
【００１５】
図２は、パッド部３を取り付けた本体部１を、イヤーマフ５１を頭部Ｈに装着した状態で頭部Ｈの側となる側から見た平面図である。図３はパッド部３を取り付けた本体部１の下面図である。
本体部１及びパッド部３は、上下に長い長丸形状に形成されている。具体的には、図２において上下に離隔した位置ＣＴ１及び位置ＣＴ２をそれぞれ中心とする半円状の上端部分Ｐ１及び下端部分Ｐ２と、上端部分Ｐ１と下端部分Ｐ２とを繋ぐ中間部分Ｐ３とを有する。
【００１６】
パッド部３は、下端部分Ｐ２において、径方向に放射状に延びる複数の切り込み部３１として切り込み部３１ａ，３１ｂ，３１ｃを有する。
切り込み部３１ｂは、パッド部３の表面位置において、位置ＣＴ２を通り上下方向の真下に延びる半径線Ｌｂ上に形成されている。
切り込み部３１ａは、パッド部３の表面位置において、切り込み部３１ｂに対し後方に所定角度の角度θ１だけ傾いた半径線Ｌａ上に形成されている。
切り込み部３１ｃは、パッド部３の表面位置において、切り込み部３１ｂに対し前方に所定角度の角度θ２だけ傾いた半径線Ｌｃ上に形成されている。
所定角度の角度θ１及び角度θ２は自由に設定でき、例えば、３０°、４５°などとされる。
角度θ１と角度θ２とは、等しくてもよく、等しくなくてもよい。
複数の切り込み部３１は、パッド部３の表面の位置において、位置ＣＴ２を通り、上下方向の真下方向に延びる半径線Ｌｂに対し、すべてが後方及び前方のいずれか一方に配置されていてもよく、いずれか１つが後方及び前方のいずれか一方に配置されていてもよい。
複数の切り込み部３１は、パッド部３の内周面３６と外周面３７とを繋ぎ、表面３２に開口するように形成されている。この表面３２は、イヤーマフ５１を頭部Ｈに装着した状態で頭部Ｈに当接する当接面である。
【００１７】
パッド部３は、パッドユニット３３，３４，３５を有する。
パッドユニット３３は、切り込み部３１ａと切り込み部３１ｂとの間の部分である。パッドユニット３４は、切り込み部３１ｂと切り込み部３１ｃとの間の部分である。パッドユニット３５は、パッドユニット３３と離隔対向して切り込み部３１ａを形成すると共に、パッドユニット３４と離隔対向して切り込み部３１ｃを形成する部分である。
【００１８】
切り込み部３１ａ〜３１ｃは、開口するパッド部３の表面３２から本体部１に向かうに従って、図２の位置ＣＴ２を中心として同じ周方向にずれるように形成されている。
例えば、切り込み部３１ａ〜３１ｃは、図３に示されるように、本体部１に近づくに従って位置ＣＴ２を中心とする反時計回りに、周方向にずれるように形成されている。ずれ量は、１つの切り込み部３１ａの本体部１側の最奥位置Ｅａが、隣接する切り込み部３１ｂの表面３２の開口位置Ｓｔｂと概ね一致するように設定されている。
【００１９】
図４は、図２に示されるパッド部３の下端部分Ｐ２の周方向範囲となる角度位置α１から角度位置α２までの範囲αを、平面展開した図である。
図４に示される平面展開した状態で、切り込み部３１ａは、開口位置Ｓｔａから最奥位置Ｅａまで、位置ＣＴ２を通る軸線ＣＬ２に対して傾斜した直線状に形成されている。
切り込み部３１ａの最奥位置Ｅａは、範囲αの中央である角度位置αｃにある。一方で、角度位置αｃは、切り込み部３１ａに隣接する切り込み部３１ｂの開口位置Ｓｔｂとなっている。切り込み部３１ｂの最奥位置Ｅｂの角度位置α３は、切り込み部３１ｂに隣接する切り込み部３１ｃの開口位置Ｓｔｃの位置となっている。
【００２０】
図５は、切り込み部３１ａ〜３１ｃを有するパッド部３が取り付けられた本体部１の斜視図であり、耳介Ｅに付けるイヤホン８のケーブル８２を、任意の切り込み部３１ｂに通す作業を示している。この作業は、イヤホン８を耳介Ｅに付ける前に行ってもよいし、耳介Ｅに取り付けた後のイヤーマフ５１を装着する前又は後に行ってもよい。
【００２１】
図５に示される例では、使用者が、ケーブル８２を切り込み部３１ｂに入れ込み、切り込み部３１ｂの延在方向に沿って矢印ＤＲａのように前方に移動させる作業を示している。
具体的な作業の例は次のようになる。
【００２２】
まず使用者は、イヤホン８を、ケーブル８２が概ね下方に垂れ下がる状態でイヤピース８３を外耳道に挿入すると共に本体部８１を耳甲介に宛がうことで耳介Ｅに付ける。
【００２３】
次いで、使用者は、イヤーマフ５１を、耳介Ｅがパッド部３の孔３ａ内に進入するように頭部Ｈに宛がう。この状態でケーブル８２はパッド部３と頭部Ｈとに挟まれているので、使用者は、ケーブル８２を指で摘み、摘んだケーブル８２をパッド部３を本体部１側に軽く付勢しつつ矢印ＤＲｂのように前方又は後方に動かす。
【００２４】
このように、ケーブル８２を、パッド部３に押し付けながら動かすと、ケーブル８２は、切り込み部３１ａ〜３１ｃのいずれかの開口位置Ｓｔａ〜Ｓｔｃに達したときに、矢印ＤＲａのようにその切り込み部に進入する。図５では、ケーブル８２が切り込み部３１ｂに進入した状態が示されている。
切り込み部３１ａ〜３１ｃにおける切り込みの幅は、ケーブル８２の外形の大きさに対しほぼ同じか少し狭く設定されている。さらに、イヤーマフ５１が装着された状態でパッド部３は、図６に示されるバンド部２の弾性反発力に基づく付勢力Ｆａによって頭部Ｈ側に付勢されて圧縮されている。そのため、切り込み部３１ｂに進入したケーブル８２は、切り込み部３１ｂを形成するパッドユニット３３とパッドユニット３４とに挟まれて保持される。
【００２５】
図６は、耳介Ｅにイヤホン８を取り付け、さらにイヤーマフ５１を装着した状態を示す一部断面とした部分前面図である。
図６において、イヤホン８の本体部８１から延出したケーブル８２は、切り込み部３１ｃの途中の位置から外部の下方に引き出されている。
【００２６】
既述のように、イヤーマフ５１の装着状態で、本体部１及びパッド部３は、バンド部２からの付勢力Ｆａによって頭部Ｈに押し付けられている。
そのため、パッド部３は厚さ方向に圧縮されており、この圧縮された状態で各切り込み部３１ａ〜３１ｃが傾斜して形成されているために各切り込み部３１ａ〜３１ｃは実質的に閉じた状態となっている。
具体的には、切り込み部３１ａ，３１ｂ，３１ｃをそれぞれ形成するパッドユニット３５及びパッドユニット３３，パッドユニット３３及びパッドユニット３４，パッドユニット３４及びパッドユニット３５の各傾斜面同士が、接触した状態で厚さ方向に圧縮されている。
従って、ケーブル８２は、切り込み部３１ｃの途中で切り込み部３１ｃの両側のパッドユニット３３及びパッドユニット３４にほぼ隙間なく挟まれて保持される。
【００２７】
これにより、イヤーマフ５１は、切り込み部３１を有するものの、頭部Ｈへの装着状態で、切り込み部３１の隙間は実質的に閉じて遮音性が確保される。そのため、外部から騒音が内部に進入してイヤホン８の再生音の聴取に影響が生じることはなく、内部のイヤホン８の再生音は、実質的に外部に漏出しない。
すなわち、使用者は、ケーブル８２を有するイヤホン８を耳介Ｅに付けた状態でイヤーマフ５１を装着しても、イヤホン８の再生音を良好に聴取できる。
【００２８】
既述のように、切り込み部３１ａ〜３１ｃは、下端部分Ｐ２の周方向において、例えば切り込み部３１ａの最奥位置Ｅａが隣接する切り込み部３１ｂの開口位置Ｓｔｂと一致している。これにより、ケーブル８２の周方向の引き出し位置を、切り込み部３１ａの開口位置Ｓｔａから、切り込み部３１ｃの最奥位置Ｅｃまで連続した周方向位置に設定できる。すなわち、ケーブル８２の引き出し方向を、切り込み部３１が形成されている連続した弧状の周方向範囲の任意の位置に設定できる。これにより、イヤホン８とイヤーマフ５１とを組み合わせた装着態様において、取り扱い及び装着性が向上する。
複数の切り込み部３１は、隣接する２つの切り込み部の組として、このような一方の切り込み部の最奥位置が隣接する他方の切り込み部の開口位置と、周方向の位置として一致している組を含んでいればよい。
この組を構成する隣接する２つの切り込み部が形成されている連続した弧状の周方向範囲において、ケーブル８２の引き出し方向を任意の周方向位置に設定できる。
また、隣接する２つの切り込み部の組は、周方向にそれぞれの一部が重なって形成されていてもよい。すなわち、一方の切り込み部の最奥位置に対し他方の切り込み部の開口位置が、一方の切り込み部の開口位置側にあってもよい。
この場合も、隣接する２つの切り込み部が形成されている連続した弧状の周方向範囲において、ケーブル８２の引き出し方向を任意の周方向位置に設定できる。
【００２９】
図７は、パッド部３の製造方法の例を示す斜視的組立図である。
本体部１は、例えば、底部１ａ及び底部１ａの周囲に立設する環状の壁部１ｂを有するように形成されている。図７において、切り込み部３１ａ〜３１ｃの形成位置は、壁部１ｂの天面のパッド取り付け面１ｂ１において、図２を参照して説明した形成位置に対し、周方向にずれた位置に設定されている。
切り込み部３１が３つの場合、３つのパッドユニット３３，３４，３５を形成しておき、それぞれ壁部１ｂのパッド取り付け面１ｂ１の３つの領域ＡＲｂ，ＡＲｃ，ＡＲａに接着などによって互いに離隔して切り込み部３１を形成するように取り付ける。
パッドユニット３３，３４，３５は、表面３２側の開口部において鋭角となる先端に、面取り部３３ａ，３４ａ，３５ａが形成されている。面取り部３３ａ，３４ａ，３５ａは、パッドユニット３３，３４，３５の先端部の損傷を防止すると共に、使用者がケーブル８２を切り込み部３１に進入させる際のガイドとなる。
【００３０】
以上詳述した実施例は、上述の構成に限定されるものではなく、本発明の要旨を逸脱しない範囲において変形した変形例としてもよい。
【００３１】
切り込み部３１の数、間隔、ずれる方向は限定されない。
本体部１及びパッド部３の形状は長丸形状に限定されない。真円状、楕円状、角形状などであってもよい。
イヤーマフ５１は、バンド部２が、頭頂部に掛け渡されるものでなくてもよく、首の後ろに掛け渡されるものであってもよい。
【符号の説明】
【００３２】
１  本体部
１ａ  底部
１ｂ  壁部
１ｂ１  パッド取り付け面
２  バンド部
３  パッド部
３ａ  孔
３１，３１ａ，３１ｂ，３１ｃ  切り込み部
３２  表面
３３，３４，３５  パッドユニット
３３ａ，３４ａ，３５ａ  面取り部
３６  内周面
３７  外周面
８  イヤホン
８１  本体部
８２  ケーブル
５１  イヤーマフ
ＣＬ２  軸線
ＣＴ１，ＣＴ２  位置
Ｅ  耳介
Ｅａ，Ｅｂ  最奥位置
Ｈ  頭部
Ｌａ，Ｌｂ，Ｌｃ  半径線
Ｐ１  上端部分
Ｐ２  下端部分
Ｐ３  中間部分
Ｓｔａ，Ｓｔｂ，Ｓｔｃ  開口位置
α  範囲
α１，α２，αｃ  角度位置
θ１，θ２  角度
【図１】
2020154064.tif 000003
【図２】
2020154064.tif 000004
【図３】
2020154064.tif 000005
【図４】
2020154064.tif 000006
【図５】
2020154064.tif 000007
【図６】
2020154064.tif 000008
【図７】
2020154064.tif 000009